(57)【要約】【課題】リールシート本体の強度を損なうことなく、軽量化し、且つ安定したリールの固定力を確保した上で移動フードの移動が滑らかなリールシートを提供すること【解決手段】魚釣用リールを取付けるリールシート本体１２に形成され、リールの取付脚部を載置するリール脚載置面１８と、このリール脚載置面の長手方向に沿って対向配置され、リールの取付脚部をこのリール脚載置面上に保持する一対のフード１６，２２とを備え、一方のフード１６がリール脚載置面１８の一端側に配置されたねじ部１４に螺合され、リール脚載置面１８の長手方向に沿って移動可能な移動フード１６として形成され、前記リールシート本体１２は、移動フード１６がリール脚載置面１８上にリールの取付脚部を押圧するときにこの移動フードのフード本体２６を支える支持部３８と、この支持部とリール脚載置面との間に形成された少なくとも１つの空間部４０とを備えるリールシート１０。【選択図】    図２
2004173630.tif 000002
【特許請求の範囲】
【請求項１】
魚釣用リールを取付けるリールシート本体に形成され、リールの取付脚部を載置するリール脚載置面と、このリール脚載置面の長手方向に沿って対向配置され、リールの取付脚部をこのリール脚載置面上に保持する一対のフードとを備え、これらの一対のフードの一方がリール脚載置面の一端側に形成された雄ねじに螺合され、リール脚載置面の長手方向に沿って移動可能な移動フードとして形成されるリールシートであって、
前記リールシート本体は、移動フードがリール脚載置面上にリールの取付脚部を押圧するときにこの移動フードを支える支持部と、この支持部とリール脚載置面との間に形成された少なくとも１つの空間部とを備えることを特徴とするリールシート。
【請求項２】
前記空間部に柔軟性部材が配置されることを特徴とする請求項１に記載のリールシート。
【発明の詳細な説明】
【０００１】
【発明の属する技術分野】
本発明は、釣竿に用いるリールシートに関する。
【０００２】
【従来の技術】
一般に、釣竿に魚釣用リールを取付けるリールシートは、リールの取付脚部を載置するリール脚載置面をリールシート本体に形成し、このリール脚載置面の長手方向に沿って対向配置した一対のフードにより、リールの取付脚部をこのリール脚載置面上に保持する。これらの一対のフードは、それぞれが取付脚部を受け入れる開口部を有し、かつ、一方がリール脚載置面に対して移動し、所要位置に固定可能な移動フードとして形成され、これらの一対のフード間に取付脚部を挟持させることにより、リールを釣竿に装着する。このようなリールシートには、レバーの起伏操作によって移動フードを移動および固定するレバー式のもの、あるいは、ナット部材の締付け動作によって移動フードを移動および固定するナット式のもの等、従来から様々なタイプのものが知られている。
【０００３】
また、リールシート本体は、パイプ状に形成され、竿管に接着することで固定するのが一般的である。このようなリールシート本体は、金型を用いることにより、複雑な外形を高精度に形成される。そして、このようなリールシート本体は、個別の釣竿に合わせて形成するのではなく、代表的な内径をもつ数種類のリールシート本体の内から、それぞれの釣竿に最も適したものを用いている。
【０００４】
【発明が解決しようとする課題】
しかし、リールシート本体の内径を小径に形成する場合であっても、握持性、あるいはフード等の部品を共通化させるために、リールシート本体の外径をその内径に合わせて小径にすることはできない。したがって、リールシート本体の内径が小さい場合には、リールシート本体の肉厚を厚く形成する必要がある。
【０００５】
このため、リールシート本体の厚肉化により重量が増大してしまう。
【０００６】
本発明は、このような事情に基づいてなされたもので、リールシート本体の強度を損なうことなく、軽量化しかつ安定したリールの固定力を確保して移動フードの移動が滑らかなリールシートを提供することを目的とする。
【０００７】
【課題を解決するための手段】
上記目的を達成するため、本発明によると、魚釣用リールを取付けるリールシート本体に形成され、リールの取付脚部を載置するリール脚載置面と、このリール脚載置面の長手方向に沿って対向配置され、リールの取付脚部をこのリール脚載置面上に保持する一対のフードとを備え、これらの一対のフードの一方がリール脚載置面の一端側に形成された雄ねじに螺合され、リール脚載置面の長手方向に沿って移動可能な移動フードとして形成されるリールシートであって、前記リールシート本体は、移動フードがリール脚載置面上にリールの取付脚部を押圧するときにこの移動フードを支える支持部と、この支持部とリール脚載置面との間に形成された少なくとも１つの空間部とを備えるリールシートが提供される。
【０００８】
【発明の実施の形態】
図１から図３は、本発明の好ましい実施形態によるリールシート１０を示す。
本実施形態のリールシート１０は、魚釣用リールを取付けるためのリールシート本体１２を備え、このリールシート本体の例えば先端側である軸方向一端側に形成したねじ部１４に沿って移動フード１６が移動自在に装着される。繊維強化樹脂製であるのが好ましい竿管８が、このリールシート本体１２に挿通され、例えば接着剤を用いて強固に固着される。この竿管８は、中空構造あるいは中実構造のいずれであってもよい。
【０００９】
本実施形態のリールシート本体１２は、合成樹脂あるいは軽金属等の適宜の材料から筒状に形成され、一側に、リールの取付脚部を載置するリール脚載置面１８が形成されている。更に、このリールシート本体１２には、移動フード１６に向けて開口部２０を開口させた固定フード２２が一体的に設けられている。この固定フード２２の開口部２０は、後端側に向けて次第に高さが低くなり、この開口部２０から受入れた取付脚部の一端が内方に押圧されたときに、この取付脚部をリール脚載置面１８側に付勢する。本実施形態の固定フード２０は、シート本体１２と一体構造に形成してある。これに代え、金属又は硬質の合成樹脂でシート本体１２と別体構造に形成し、シート本体１２に強固に固定してもよい。金属で形成する場合には、リールの取付脚部に当接する部位を樹脂で形成し、金属間の接触による各部材の損傷を防止することが好ましい。
【００１０】
シート本体１２の例えば竿尻側である軸方向他端側には、握り部２４を形成してあり、この握り部２４は、握持する手で握り込んだときに、握持しやすい例えばエチレン酢酸ビニル樹脂等の軟質樹脂、コルク、発泡材、ゴム、エラストマー等の柔軟性部材で形成するのが好ましい。本実施形態では、握り部２４は、移動フード１６に近接する部位から固定フード２２を超えて竿尻側に延び、竿管８を覆う筒状に形成してある。
【００１１】
更に、シート本体１２の先端側のねじ部１４に沿って移動する移動フード１６は、フード本体２６に形成した開口部２８を固定フード２２の開口部２０と軸方向に対向させ、移動フードストッパリング３０を介してこのフード本体２６にナット部３２を回転自在に連結してある。
本実施形態のフード本体２６は、剛性の高い硬質合成樹脂あるいは金属で形成し、開口部２８は固定フード２２の開口部２０と同様な構造に形成してある。この移動フード１６の開口部２８は、固定フード２２の開口部２０とは逆に先端側に向けて次第に高さが低くなる。これにより、リールの取付脚部の端部を受入れて固定フード２２側に移動されると、固定フード２２と協働して取付脚部をリール脚載置面１８に向けて付勢する。なお、リールシート本体１２の向きは、上述と逆にして固定することも可能である。
【００１２】
ナット部３２は、金属材料又は硬質の合成樹脂で形成したナット部材３２ａと、この外周部に配置され、コルクあるいは硬めの発泡性樹脂等の柔軟性材料製のスリーブ３２ｂとを有する。このスリーブ３２ｂは、形状、構造は任意で、ナット部材３２ａと同一材料で一体に形成してもよいし、図示のように別部材として設けてもよい。ナット部材３２ａは、ねじ部１４の外周部に形成した雄ねじ（図示しない）と螺合し、この雄ねじに沿ってリールシート本体１２のねじ部１４上を進退する。このナット部３２が回動したときに、フード本体２６が共回りするのを防止するため、本実施形態では、フード本体２６の内面から突出するキー３４が、リールシート本体１２の後述する第１支持部３８に形成されたキー溝３６に嵌合し、このキー溝３６に沿って軸方向に移動する。これにより、ナット部３２を回動すると、フード本体２６は、その開口部２８を固定フード２２の開口部２０に対向させた状態でナット部３２と共にリールシート本体１２に沿って移動する。なお、ねじ部１４の雄ねじは、リールシート本体１２と一体に形成する他、別部材で形成し、このリールシート本体１２に固定することも可能である。
【００１３】
このような移動フード１６が移動する部位、特にフード本体２６がリールの取付脚部をリール脚載置面１８上に押圧する部位では、移動フード１６のフード本体２６がリール脚載置面１８上にリールの取付脚部を押圧するときに、このフード本体２６に作用する取付脚部からの反力に抗してこの移動フードを支える第１支持部３８を、リール脚載置面１８に対して径方向の反対側に形成してある。この第１支持部３８は、リールシート本体１２の外面から突出する軸方向リブとして形成してあり、先端側の傾斜面と合わせ、移動フード１６の移動を滑らかにすることが可能である。
【００１４】
図３に示すように、本実施形態の第１支持部３８は、横断面で見たときに略平行な側面部を有する突条として形成し、リールシート本体１２の周方向に沿う滑らかな円筒状面で形成した外周面には、略中央部に上述のキー溝３６を形成してある。この外周面は、フード本体２６の内面に係合してリールの取付脚部からの反力を支えることができるものであれば平面状あるいは凹面状等フード本体２６の内面形状に合わせて適宜の形状に形成することができる。また、この第１支持部３８の両側面部は、互いに略平行な面で形成してあるが、半径方向内方あるいは外方に収束するテーパ状に形成することもできる。半径方向内方に収束するテーパ状に形成する場合には、これらの側面部の延長面内にリールシート本体１２の中心軸が配置されることが好ましい。本実施形態では、移動フード１６がリールの取付脚部をリール脚載置面１８上に締付けたときに、この移動フード１６内に全体が収容される長さに形成してあるが、これに限らず、移動フード１６から突出させてもよい。
【００１５】
更に、本実施形態のリールシート本体１２は、リール脚載置面１８と第１支持部３８との間の空間部４０に、第２支持部４２を配置してある。リール脚載置面１８と第１支持部３８とを介して互いに対向する方向に圧力が作用したときに、これらの第２支持部４２がフード本体２６の内面に当接し、リールシート本体１２が側方に膨出するのを防止する。これにより、移動フード１６を締付け、リールの取付脚部をリール脚載置面１８上に押圧したときに、リールシート本体１２が潰れるのを防止する。このような第２支持部４２は、第１支持部３８と同様に先端側に傾斜面を形成し、第１支持部３８から周方向にずれた位置で、この第１支持部とほぼ同じ軸方向長さにわたって形成するのが好ましい。このような第２支持部４２は、リール脚載置面１８と第１支持部３８との間に、このリールシート本体１２の軽量化を図ることができる少なくとも１つの空間部４０を形成できるものであれば、それぞれ複数形成してもよく、その延設方向についても、図示の軸方向に限らず、中心軸に対して傾斜する方向あるいは螺旋状に延設することも可能である。なお、螺旋状とする場合には、第１支持部３８およびリール脚載置面１８を形成する部位もこれと連続した螺旋状に形成してもよい。
【００１６】
なお、これらの第１支持部３８と第２支持部４２とは、その少なくとも１つを図示の実施形態とは逆に、フード本体２６の内周側に形成し、あるいは、別個の独立した部材で形成することも可能である。別個の部材で形成する場合には、樹脂、繊維強化樹脂あるいは金属で形成することができる。また、フード本体２６をナット部３２と一体的に形成することも可能である。この場合には、移動フード１６の開口部２８は、その後端部の全周にわたって形成し、第１支持部３８および第２支持部４２はこの開口部２８からずれた位置すなわち互いに重ならない位置に形成するのが好ましい。
【００１７】
このようなリールシート１０によると、リールシート本体１２のリール脚載置面１８上にリールの取付脚部を載置し、その一端を固定フード２２の開口部２０内に挿入する。この後、ねじ部１４の外周部に形成した雄ねじに沿ってナット部３２を回動し、この開口部２８内に取付脚部の他端を収容した状態でこのナット部３２を締めこんでいく。これにより、取付脚部は固定フード２２と移動フード１６との間でリール脚載置面１８上に押圧され、強固に固定される。このとき、開口部２８内の取付脚部からフード本体２６に作用する反力により、このフード本体２６が第１支持部３８に押圧され、この第１支持部３８で支えられる。一方、このリール脚載置面１８と第１支持部３８とに作用する力により、リールシート本体１２が側方に広がろうとするが、第２支持部４２がフード部材２６の内面に当接することにより、リールシート本体１２の変形が防止される。したがって、リール脚載置面１８と第１支持部３８との間の空間部４０により、リールシート本体１２を軽量化すると共に、第１支持部３８および第２支持部４２により、充分な強度を維持した上で、第１支持部及び第２支持部が対称構造を形成するため、バランスを崩すことなく、各支持部の外面がフード本体２６の内面に沿いながら滑らかなフードの移動を実現する。更に、リールシート本体１２は支持部の対称構造により、成形時の反りも防止することができる。
【００１８】
図４は、変形例によるリールシート本体１２Ａを示す。この変形例では、対称配置した一対の第１支持部３８が比較的大きな外周面を形成し、上述の第２支持部を省略してある。また、一対の第１支持部３８間に、軽量化するための間隙部４４を形成し、キー溝３６は、中心部から変位させて設けてある。勿論、このような間隙部４４は、１つに限らず、複数設けてもよく、図示のようにリールシート本体１２の長手方向に延びるものに代え、あるいは、これと共に周方向に延びるものであってもよい。
【００１９】
この変形例のリールシート本体１２Ａでは、第１支持部３８の外周面が側方まで張出していることにより、移動フード１６を締付けたときの変形が防止される。また、第１支持部３８が対称構造を形成するため、移動フード１６が移動する際、バランスを崩すことなく、滑らかに移動することができる。
【００２０】
図５は、他の変形例によるリールシート本体１２Ｂを示す。この変形例では、図１から図３に示すリールシート本体１２とほぼ同様であるが、リールシート載置面１８と第１支持部３８及び第２支持部４２との間の各空間部４０に柔軟性部材４６を配置してある。この柔軟性部材４６は、軟質樹脂、コルク、発泡剤、ゴム、あるいは、エラストマー等で形成することができる。このような柔軟性部材４６を空間部４０内に配置することにより、リールシート本体１２を軽量化しつつ、空間部４０内に異物が侵入するのを防止することができる。また、空間部４０が露出した場合でも、手が痛くならない。
【００２１】
なお、このような柔軟性部材４６は、図１から図３に示すリールシート本体１２あるいは図４に示すリールシート本体１２Ａのそれぞれの空間部の少なくとも一部に配置してもよい。
【００２２】
【発明の効果】
以上明らかなように、本発明によると、リールシート本体の強度を損なうことなく、軽量化し、且つ安定したリールの固定力を確保した上で、移動フードの移動が滑らかなリールシートを提供することが可能となる。
【図面の簡単な説明】
【図１】本発明の好ましい実施形態によるリールシートを設けた釣竿の一部を示す説明図。
【図２】図１のリールシートにおける移動フードの内部を示す部分断面図。
【図３】図２のＩＩＩ−ＩＩＩ線に沿う断面図。
【図４】変形例によるリールシート本体の横断面図。
【図５】他の実施形態によるリールシート本体の横断面図。
【符号の説明】
１０…リールシート、１２…リールシート本体、１４…ねじ部、１６…移動フード、１８…リール脚載置面、２２…固定フード、３８…第１支持部、４０…空間部。
【図１】
2004173630.tif 000003
【図２】
2004173630.tif 000004
【図３】
2004173630.tif 000005
【図４】
2004173630.tif 000006
【図５】
2004173630.tif 000007